(57)【特許請求の範囲】
【請求項１】
複数本の弦が張設される細長い楽器本体と、この楽器本体に着脱可能に取付けられるフレームとを備えた電気ギターにおいて、
前記楽器本体のフレーム取付部に設けられたフレーム固定装置を備え、このフレーム固定装置は前記楽器本体を演奏者の身体に吊すストラップの固定装置を兼用する電気ギター。
【請求項２】
請求項１記載の電気ギターにおいて、
フレームは楽器本体のフレーム取付部に設けられた挿通孔に遊挿される連結ピンを有し、フレーム固定装置は前記連結ピンを前記挿通孔内に固定する電気ギター。
【請求項３】
請求項１または２記載の電気ギターにおいて、
フレームは連結ピンを有し、フレーム固定装置は楽器本体のフレーム取付部に設けられた挿通孔に遊挿され前記連結ピンが挿入される径方向に弾性変形可能なスリーブと固定手段とを備え、前記スリーブの外周を前記固定手段によって押圧して弾性変形させ前記連結ピンに圧接する電気ギター。
【発明の詳細な説明】
【０００１】
【発明の属する技術分野】
本発明は、弦の振動を電気信号に変換してスピーカから発音させる電気ギターに関し、さらに詳しくは響胴を備えないフレーム構造の電気ギターに関する。
【０００２】
【従来の技術】
従来エレクトリックギターと呼ばれるスチール弦の電磁型ピックアップ装置を備えた電気ギターは、ボディの構造の相違によってボディを一枚の木材によって所要の形状に加工形成したものや、内部が完全な中実構造と、内部の一部をくり抜いて中空部を設けた構造のものがある。また、エゾ松やスプルース等の木材からなる外装甲板および側板によってアコースティックギターと同様に内部が中空で響胴として機能するボディを形成し、内部中央にメイプル等の木材によって形成した柱体（センターブロック）を設けているものもある。一方、感圧型ピックアップを用いて弦支持部材から振動を拾う方式でナイロン弦（ガット）を使用したものも近年現れている。
【０００３】
このような電気ギターの場合はアコースティックギターと異なり、必ずしもボディ自体に本来の響胴としての機能を持たせる必要性がない。また、ナイロン弦（ガット）を張った電気ギターのボディ構造として図６および図７に示すように通称フレーム型と称するボディを採用した電気ギターが開発されている。すなわち、この電気ギター１は、所定本数の弦２が張設される細長い楽器本体３の左右両側面に、通常のボディの外形状と略等しい瓢箪型に折り曲げ形成したフレーム４（４ａ，４ｂ，４ｃ）を着脱可能に取付けたものである。フレーム４の取付構造としては、フレーム４の先端面に連結ピン５を突設し、この連結ピン５を楽器本体３のフレーム取付部６に埋設したスリーブ７に圧入することで着脱可能に取付けるようにしている。なお、８は指板、９は上駒、１０は下駒、１１はネック部、１２は糸巻き装置である。このようなフレーム構造の電気ギター１においては、軽量化に加えて、フレーム４を楽器本体３から取り外すと持ち運びが容易となり、また保管スペースを小さくすることができる。
【０００４】
【発明が解決しようとする課題】
しかしながら、上記したフレーム構造のボディを備えた電気ギター１においては、連結ピン５をスリーブ７に圧入することでフレーム４を楽器本体３に取付けているので、締め代が小さいとフレーム４を確実に固定できるが、取付け、取外し時に大きな力を必要とし、反対に締め代が大きいと連結ピン５とスリーブ７との間に隙間が生じるため確実に固定することができず、演奏しているときや搬送しているときにフレーム４が楽器本体３から外れて脱落するおそれがある。また、フレーム４とは別個にストラップを楽器本体３に固定する必要があり、このために専用の固定装置を必要とするといった問題があった。
【０００５】
本発明は上記した従来の問題を解決するためになされたもので、その目的とするところは、楽器本体に対するフレームの取付け、取外し作業が容易で確実に固定することができ、またストラップ固定を兼用し得るようにした電気ギターを提供することにある。
【０００６】
【課題を解決するための手段】
上記目的を達成するために第１の発明は、複数本の弦が張設される細長い楽器本体と、この楽器本体に着脱可能に取付けられるフレームとを備えた電気ギターにおいて、前記楽器本体のフレーム取付部に設けられたフレーム固定装置を備え、このフレーム固定装置は前記楽器本体を演奏者の身体に吊すストラップの固定装置を兼用するものである。
【０００７】
この発明においては、フレーム固定装置がストラップ固定装置を兼用するので、別部材からなるストラップ専用の固定装置を用いる必要がなく、部品点数を削減することができる。
【０００８】
第２の発明は、上記第１の発明において、フレームが楽器本体のフレーム取付部に設けられた挿通孔に遊挿される連結ピンを有し、フレーム固定装置が前記連結ピンを前記挿通孔内に固定するものである。
【０００９】
この発明においては、フレーム固定装置が連結ピンを挿通孔内に固定する。フレーム固定装置としてはねじが用いられる。
【００１０】
第３の発明は、上記第１または第２の発明において、フレームが連結ピンを有し、フレーム固定装置が楽器本体のフレーム取付部に設けられた挿通孔に遊挿され前記連結ピンが挿入される径方向に弾性変形可能なスリーブと固定手段とを備え、前記スリーブの外周を前記固定手段によって押圧して弾性変形させ前記連結ピンに圧接するものである。
【００１１】
この発明においては、固定手段がスリーブを押圧して連結ピンに押し付ける。固定手段としてはねじが用いられる。スリーブは固定手段によって押圧されることにより、被押圧部が弾性変形して連結ピンに圧接され、同ピンとの接触面積を増大させる。したがって、連結ピンを抜け難くする。そして、挿通孔に押し付けられることで、連結ピンがスリーブを介して挿通孔に固定される。固定手段としてはねじが用いられる。スリーブは固定手段によって被押圧部が押圧されて弾性変形すると、その復元力によって固定手段を押圧方向とは反対方向に付勢し、ねじ山どうしの結合強度を増大させる。したがって、固定手段のがたつきや緩みが防止される。
【００１２】
【発明の実施の形態】
以下、本発明を図面に示す実施の形態に基づいて詳細に説明する。
図１は本発明に係る電気ギターの一実施の形態を示す外観斜視図、図２はフレーム取付部の拡大断面図である。これらの図において、全体を符号２０で示す電気ギターは、細長い木製の楽器本体２１と、この楽器本体２１の上方に張設される弦２（２ａ〜２ｆ）と、楽器本体２１の左右両側面に取付けられるフレーム２２（２２Ａ，２２Ｂ）を備えている。２３はストラップで、一般的に販売されているものである。
【００１３】
前記楽器本体２１は、胴部２１Ａと、この胴部２１Ａの上端に連設された棹部２１Ｂと、この棹部２１Ｂの先端に一体に設けられたネック部２１Ｃとで構成されている。胴部２１Ａは、表面の略中央に固定されたテールピース２４を有し、またこのテールピース２４には下駒１０と、各弦２の振動をピックアップして電気信号に変換する図示を省略した周知のピックアップ装置（例：特公昭６２−３３５９８号公報、実公昭６１−４６５５９号公報、実公昭６２−２６７９７号公報）が埋設されている。一方、胴部２１Ａの内部には、トーンコントロール等を含むプリアンプ、プリアンプに電力を供給する電源（乾電池）、プリアンプの出力を外部に取り出すジャック（いずれも図示を省略）等が配設されている。前記棹部２１Ｂは、多数のフレット２５が植設された指板２６を表面に有しており、ネック部２１Ｃとの境部に上駒９が植設されている。ネック部２１Ｃには、各弦２をそれぞれ巻き取る糸巻き装置１２が取付けられている。前記各弦２は、図１において左から第１〜第６弦２ａ〜２ｆの６本からなり、前方端が前記糸巻き装置１２にそれぞれ巻き付けられて係止され、この糸巻き装置１２に近い部分が前記上駒９によって支持されている。一方、後方端は前記テールピース２４に係止され、このテールピース２４に近い後方端付近が前記下駒１０によって支持されている。
【００１４】
前記フレーム２２は、金属、合成樹脂、木材等によって形成され、胴部２１Ａの第１弦２ａ側の側面（演奏時に上となる側面）に取付けられる第１のフレーム２２Ａと、第６弦２ｆ側の側面（演奏時に下となる側面）に取付けられる第２のフレーム２２Ｂとからなり、第１のフレーム２２Ａが胴部２１Ａに対して着脱可能に取付けられ、第２のフレーム２２Ｂが着脱不能に取付けられている。
【００１５】
さらに、フレーム２２の取付構造の詳細を図２に基づいて詳述すると、前記胴部２１Ａの前端部と後端部は、前記第１、第２のフレーム２２Ａ，２２Ｂがそれぞれ取付けられるフレーム取付部３０，３１を形成している。ここで、図２は胴部２１Ａの後端側におけるフレーム取付部３０，３１を示している。フレーム取付部３０は、胴部２１Ａの低音弦（第１弦）２ａ側の側面２８に形成されスリーブ３４を収納する挿通孔３３と、この挿通孔３３を覆うように前記側面２８に固定された蓋部材３５とを有している。また、このフレーム取付部３０には、前記フレーム２２Ａの端部をフレーム取付部３０に着脱可能に固定するフレーム固定装置４２が取付けられている。前記蓋部材３５は、矩形の金属板またはプラスチック製で中央にピン用孔３７を有し、胴部２１Ａの前記側面３８に形成した浅い凹部３９にはめ込まれ、図示を省略した木ねじによって固定されている。ピン用孔３７は、前記挿通孔３３と中心が略一致しているが、これより小さく設定されることにより、前記スリーブ３４の脱落を防止している。
【００１６】
前記フレーム固定装置４２は、前記挿通孔３３に収納された前記スリーブ３４と、このスリーブ３４に対応して前記胴部２１Ａの後端面４１にナット４４を介して取付けられた固定手段としての固定ねじ４３とで構成され、前記第１のフレーム２２Ａの後端面に突設した連結ピン５３を前記スリーブ３４内に固定するようにしている。
【００１７】
前記スリーブ３４は、径方向に弾性変形し得るように薄肉に形成されており、長手方向の略中央部で前記固定ねじ４３に対応する部分が前記連結ピン５３に押圧される被押圧部を形成している。
【００１８】
前記固定ねじ４３は、雄ねじ部４３Ａと、外周にセレーションが形成されたつまみ状の回転操作部４３Ｂと、この操作部４３Ｂと雄ねじ部４３Ａとの間に設けられた円板状のストラップ押え部４３Ｃとで構成されている。前記ナット４４は、胴部２１Ａの前記後端面４１に前記挿通孔３３と直交して連通するように埋設されており、前記固定ねじ４３の雄ねじ部４３Ａがねじ込まれるねじ孔を有している。なお、胴部２１Ａの前端側に設けられるフレーム取付部３０は、第１のフレーム２２Ａの前端部を固定するための固定ねじ４３が図１に示すように胴部２１Ａの背面側に設けられている点が異なるだけで、その他の構造は上記した後端側のフレーム取付部３０と同一である。
【００１９】
一方、胴部２１Ａの高音弦（第６弦）２ｆ側の側面５０に設けられるフレーム取付部３１は、前記凹部３９と略同一の大きさと深さを有する凹部５１が形成されている。
【００２０】
前記第１のフレーム２２Ａの端面には、前記連結ピン５３が突設されている。連結ピン５３は、前記スリーブ３４の内径より小さな外径を有し、前記蓋部材３５のピン用孔３７からスリーブ３４に挿入される。
【００２１】
一方、第２のフレーム２２Ｂの端面には、前記凹部５１にはめ込まれ複数個の木ねじ５４によって固定されるプレート５５が設けられている。
【００２２】
前記ストラップ２３は、移動調整自在な肩当て５７を有し、各端部に前記固定ねじ４３の雄ねじ部４３Ａが挿通される穴５８を有し、後端側が図２に示すように前記胴体２１Ａの後端面４１に前記固定ねじ４３によって固定されている。したがって、前記フレーム固定装置４２は、ストラップ２３を楽器本体２１に固定するストラップ固定装置を兼用している。
【００２３】
このような電気ギター２０において、第１のフレーム２２Ａの後端側をフレーム固定装置４２によって楽器本体２１Ａのフレーム取付部３０に取付ける際には、先ず連結ピン５３を蓋部材３５のピン用孔３７からスリーブ３４に挿入する。次に、ストラップ２３の穴５８に固定ねじ４３の雄ねじ部４３Ａを挿通する。そして、この雄ねじ部４３Ａをナット４４に螺合して先端をスリーブ３４の外周に押し付ける。固定ねじ４３を押し付けるとスリーブ３４はその被押圧部が径方向内側に弾性変形して連結ピン５３に押し付けられ、さらに被押圧部とは反対側の外周面が挿通孔３３の内壁に押し付けられ、これによって連結ピン５３が挿通孔３３にスリーブ３４を介して固定される。また、ストラップ２３はストラップ用プレート４３Ｃによって胴部２１Ａの後端面４１に固定される。したがって、第１のフレーム２２Ａとストラップ２３が１つのフレーム固定装置４２によって同時に固定される。なお、第１のフレーム２２Ａの前端側も後端側と同様にストラップ２３の前端とともに着脱可能に固定される。
【００２４】
一方、第２のフレーム２２Ａの後端部は、プレート５５を凹部５１にはめ込み、木ねじ５４によって固定することによりフレーム取付部３１に固定される。なお、第２のフレーム２２ｂの前端側も後端側と同様に固定される。
【００２５】
このような構造からなる電気ギター２０においては、固定ねじ４３をナット４４にねじ込んで締め付けたり、緩めて外すだけでよいので、楽器本体２２に対する第１のフレーム２２Ａの取付け、取外し作業が容易である。また、固定ねじ４３は、スリーブ３４を小径化方向に弾性変形させると、連結ピン５３との接触面積が大きくなり、連結ピン５３を抜け難くする。また、その弾発力によって固定ねじ４３を締付け方向とは反対方向に付勢してナット４４とのねじ山どうしの結合力を増大させるため、固定ねじ４３自体のがたつきが防止され、振動等によって緩んだりすることがなく、第１のフレーム２２Ａを確実に固定することができ、楽器本体２１からのフレーム２２Ａの脱落を防止することができる。さらに、固定ねじ４３はストラップ２３の固定装置を兼用するため、ストラップ専用の固定装置を設ける必要がなく、部品点数を削減することができる。
【００２６】
また、スリーブ３４は挿通孔３３に遊挿されているので、挿通孔３３の孔壁との間に適宜な空隙Ｇが存在し、この隙間Ｇにより連結ピン５３がスリーブ３４の軸線に対して傾いて挿入されても、スリーブ３４自体が挿通孔３３の内部で傾くことができる。したがって、連結ピン５３の挿入時の負荷が大幅に軽減され、スリーブ３４への挿入が容易で、連結ピン５３が曲がったり、折れたりすることがない。
【００２７】
図３（ａ）、（ｂ）は本発明の他の実施の形態を示すもので、（ａ）は挿入時の様子を示す断面図、（ｂ）は挿入後の様子を示す断面図である。
この実施の形態は、第１のフレーム２２Ａの端面に突設される連結ピン６０を円柱状の基端部６０Ａと、テーパ状の中間部６０Ｂと、球状の先端部６０Ｃとで構成したものである。その他の構造は図２に示した構造と全く同じである。
【００２８】
このような連結ピン６０においては、先端の球状部６０Ｃが挿入時の案内を、根元の基端部６０Ａが挿入後の効き代の役割を果たして傾きを防止するため、ピン用孔３７からスリーブ３４内への挿入・取出しが容易である。
【００２９】
図４は本発明の他の実施の形態を示す断面図である。
この実施の形態は、連結ピン６５の基端に半球状の座６６を一体に設け、この座６６と第１のフレーム２２Ａの端面との間にゴム等の弾性部材６７を介在させ、カバー６８によって連結ピン６５を紙面の左右方向に傾動可能に保持するようにしたものである。前記カバー６８は、前記第１のフレーム２２Ａに取付けられた状態において前記座６６を弾性部材６７に押し付けている。このため、弾性部材６７は圧縮変形しており、その弾発力で連結ピン６５を図において上方に付勢している。
【００３０】
このような構造においては、連結ピン６５が傾動可能であるため挿入が容易であり、大きな外力が第１のフレーム２２Ａに加わったとき、相対的に連結ピン６５が第１のフレーム２２Ａに対して傾くことにより連結ピン６５の折損事故を防止することができる。
【００３１】
図５は本発明のさらに他の実施の形態を示す断面図である。
この実施の形態は、スリーブを用いる代わりに連結ピン５３の外周に凹部（または貫通孔）７０を形成し、この凹部７０に固定ねじ４３の先端部を係入させることで連結ピン５３を挿通孔３３内に固定し、抜けを防止するように構成したものである。その他の構造は図２に示した実施の形態と同一である。
【００３２】
このような構造においては、フレーム固定装置を固定ねじ４３とナット４４で構成し、連結ピン５３に凹部７０または貫通孔を設けるだけでスリーブを必要としないため、固定装置自体の構成を簡素化することができる利点がある。
【００３３】
なお、上記した実施の形態においては、第２のフレーム２２Ｂを楽器本体２１に着脱不能に取付けた例を示したが、本発明はこれに何ら限定されるものではなく、第１のフレーム２２Ａと同様に着脱可能に取付けてもよいことは勿論である。また、第１、第２のフレーム２２Ａ，２２Ｂを着脱可能に取付けた場合は、搬送、収納時に第１、第２のフレーム２２Ａ，２２Ｂを楽器本体２１から取り外すと、バック等にコンパクトに収納でき、気軽に携帯できる。
【００３４】
【発明の効果】
以上説明したように第１の発明に係る電気ギターは、フレームの取付け、取外し作業が容易で確実に固定でき、脱落を防止することができる。また、フレーム固定装置がストラップ固定装置を兼用しているので、ストラップ専用の固定装置を必要とせず、部品点数を削減することができる。
【００３５】
また、第２の発明においては、連結ピンをねじ等からなる固定手段によって楽器本体の挿通孔に固定するだけでよいので、フレーム固定装置を簡素化することができる。
【００３６】
挿通孔に連結ピンが嵌挿される径方向に弾性変形可能なスリーブを備えた第３の発明においては、スリーブの弾性変形に伴う弾発力によってねじからなる固定手段のがたつきを防止することができるため、固定手段が緩んだりすることがなく、フレームをより一層確実に固定することができる。
【図面の簡単な説明】
【図１】本発明に係る電気ギターの一実施の形態を示す外観斜視図である。
【図２】フレーム取付部の拡大断面図である。
【図３】（ａ）、（ｂ）は本発明の他の実施の形態を示すもので、（ａ）は挿入時の様子を示す断面図、（ｂ）は挿入後の様子を示す断面図である。
【図４】本発明の他の実施の形態を示す断面図である。
【図５】本発明のさらに他の実施の形態を示す断面図である。
【図６】従来のフレーム構造を採用した電気ギターの正面図である。
【図７】フレームの取付部の断面図である。
【符号の説明】
２，２ａ〜２ｆ…弦、９…上駒、１０…下駒、２０…電気ギター、２１…楽器本体、２１Ａ…胴部、２１Ｂ…棹部、２１Ｃ…ネック部、２２…フレーム、２２Ａ…第１のフレーム、２２Ｂ…第２のフレーム、２３…ストラップ、２４…テールピース、３０…フレーム取付部、３３…挿通孔、３４…スリーブ、３５…蓋部材、３７…ピン用孔、４３…固定ねじ、４４…ナット、５３…連結ピン、５８…穴。
【図１】
0003551175.tif 000002
【図２】
0003551175.tif 000003
【図３】
0003551175.tif 000004
【図４】
0003551175.tif 000005
【図５】
0003551175.tif 000006
【図６】
0003551175.tif 000007
【図７】
0003551175.tif 000008